(57)【要約】【課題】  自動給送装置において、戻し手段による被記録材の戻し動作の確実性を向上させる。【解決手段】  押動部材２３は、ホッパ７１へ向けて記録紙Ｐを押動するための部材である。コイルばね２５は、押動部材２３をホッパ７１へ向けて付勢する。記録紙Ｐと接する先端部分には、従動ローラ２４が回転自在に軸支されている。記録紙Ｐ２の先端が分離レバー７６の分離斜面７６２を抜ける直前まで逆送されたところで、記録紙Ｐ１と記録紙Ｐ２との接触圧が一定未満に低下すると、コイルばね２５のばね力で押動部材２３が符号Ｆで示した方向へ進出し、記録紙Ｐ１及び記録紙Ｐ２がホッパ７１へ向けて押動される。記録紙Ｐ２は、コイルばね２５のばね力で弾き出されるようにホッパ７１へ確実に押し戻され（符号Ｇ）、ホッパ７１に載置された状態となる。【選択図】  図７
2010023949.tif 000002
【特許請求の範囲】
【請求項１】
載置面に載置された被記録材を給送する給送手段と、
給送されるべき被記録材とともに給送経路に進入した他の被記録材を当該給送されるべき被記録材から分離して係止する分離装置と、
前記分離装置に係止された当該他の被記録材を前記載置面へ戻すための戻し手段と、を備えた自動給送装置において、
前記給送経路の入口より給送方向の上流側で前記載置面へ向けて被記録材を押動する押動装置を備えている、ことを特徴とした自動給送装置。
【請求項２】
請求項１に記載の自動給送装置において、前記押動装置は、前記載置面へ向けて被記録材を押動するための押動部材と、前記給送経路の入口より給送方向の上流側で前記押動部材を変位可能に支持する支持部と、前記押動部材を前記載置面へ向けて付勢する付勢部材とを有している、ことを特徴とした自動給送装置。
【請求項３】
請求項２に記載の自動給送装置において、前記押動部材は、被記録材と接する部分に回転自在に回転体が支持されている、ことを特徴とした自動給送装置。
【請求項４】
請求項１〜３のいずれか1項に記載の自動給送装置において、前記戻し手段は、
前記分離装置より前記給送方向の下流側で給送されるべき被記録材に係合して当該給送されるべき被記録材を前記給送方向と逆方向へ搬送可能な逆送手段と、
給送されるべき被記録材とともに前記給送経路に進入した他の被記録材に当該給送されるべき被記録材を付勢する従動回転体とを有している、ことを特徴とした自動給送装置。
【請求項５】
請求項１〜４のいずれか1項に記載の自動給送装置において、前記押動装置は、待機時に、前記載置面に積重された被記録材を前記載置面に押圧する、ことを特徴とした自動給送装置。
【請求項６】
請求項１〜５のいずれか1項に記載の自動給送装置と、
前記自動給送装置により給送された被記録材に記録を実行する手段又は前記自動給送装置により給送された被記録材に記録されている情報を読み取る手段と、を備えた電子機器。
【発明の詳細な説明】
【技術分野】
【０００１】
本発明は、載置面に載置された被記録材を給送する給送手段と、給送されるべき被記録材とともに給送経路に進入した他の被記録材を当該給送されるべき被記録材から分離して係止する分離装置と、分離装置に係止された当該他の被記録材を載置面へ戻すための戻し手段とを備えた自動給送装置、該自動給送装置を備えた電子機器に関する。
【背景技術】
【０００２】
用紙等の被記録材を一ずつ自動給送する自動給送装置を備えた電子機器が公知である。例えば、被記録材の記録面に文字や画像等の記録を実行する手段を備えたインクジェットプリンタやレーザプリンタ等の記録装置、記録実行済みの被記録材の記録面に記録されている文字や画像等を読み取る手段を備えたファクシミリ、コピー機、スキャナ装置等である。このような電子機器に搭載される自動給送装置においては、給送された被記録材が電子機器の搬送手段で搬送されていく際に、その給送された記録材に接している他の被記録材が、その給送された記録材の搬送に引きずられるようにして給送されてしまうことがある。いわゆる連れ給送と呼ばれる現象である。
【０００３】
この連れ給送を防止可能な従来技術の一例としては、給送されるべき被記録材から分離装置によって分離されて係止された他の被記録材を載置面へ戻すための戻し手段を備えた自動給送装置が公知である。このような自動給送装置においては、給送された被記録材が電子機器内部において記録等が実行される前に、分離装置によって分離されて係止された他の被記録材を戻し手段で載置面へ戻すことによって、前記の連れ給送を防止することができる。そして、この戻し手段の従来技術の一例としては、被記録材を載置面へ戻す方向へ回動可能に給送経路に配設された戻しレバーが公知である。被記録材を載置面へ戻す方向へ戻しレバーを回動させ、給送されるべき被記録材から分離装置で分離されて係止された他の被記録材の先端を戻しレバーで押し戻すことによって、当該他の被記録材を載置面へ戻すことができる（例えば、特許文献１を参照）。
【特許文献１】特開２００７−２５４１５１号公報
【発明の開示】
【発明が解決しようとする課題】
【０００４】
例えば載置面が給送方向へ下り傾斜面となっている自動給送装置においては、戻し手段で戻される被記録材の給送方向の先端が当接する部分に、接触面の摩擦係数と被記録材の自重とによる摩擦力が作用する。そのため、従来は、戻し手段で被記録材を載置面へ戻し切る手前で、給送経路の入口と載置面との境界近傍や戻しレバー等にその被記録材の先端が引っ掛かってしまい、その被記録材を完全に載置面へ戻し切れない虞があった。そして、戻し手段で被記録材を完全に載置面へ戻し切れない場合、戻し手段による戻し動作後にその被記録材が自重で給送経路に再度進入して連れ給送が生じてしまう可能性があった。
【０００５】
本発明は、このような状況に鑑み成されたものであり、その課題は、自動給送装置において、戻し手段による被記録材の戻し動作の確実性を向上させることにある。
【課題を解決するための手段】
【０００６】
上記課題を達成するため、本発明の第１の態様は、載置面に載置された被記録材を給送する給送手段と、給送されるべき被記録材とともに給送経路に進入した他の被記録材を当該給送されるべき被記録材から分離して係止する分離装置と、前記分離装置に係止された当該他の被記録材を前記載置面へ戻すための戻し手段と、を備えた自動給送装置において、前記給送経路の入口より給送方向の上流側で前記載置面へ向けて被記録材を押動する押動装置を備えている、ことを特徴とした自動給送装置である。
【０００７】
前記の通り、給送されるべき被記録材から分離手段により分離された他の被記録材を戻し手段で載置面へ戻すときには、その被記録材が載置面へ戻り切る手前で、給送経路の入口と載置面との境界近傍等にその被記録材の先端が引っ掛かった状態になってしまうことがある。このとき、その被記録材は、押動装置によって、給送経路の入口より給送方向の上流側で載置面へ向けて押動されるので、載置面へ向けて確実に押し戻されることになる。それによって、載置面へ戻り切る手前で給送経路の入口と載置面との境界近傍等に先端が引っ掛かった状態の被記録材を完全に載置面へ戻し切ることができる。
【０００８】
これにより、本発明の第1の態様に記載の自動給送装置によれば、戻し手段による被記録材の戻し動作の確実性を向上させることができるという作用効果が得られる。
【０００９】
本発明の第２の態様は、前述した第１の態様に記載の自動給送装置において、前記押動装置は、前記載置面へ向けて被記録材を押動するための押動部材と、前記給送経路の入口より給送方向の上流側で前記押動部材を変位可能に支持する支持部と、前記押動部材を前記載置面へ向けて付勢する付勢部材とを有している、ことを特徴とした自動給送装置である。  
このように、給送経路の入口より給送方向の上流側で押動部材を変位可能に支持し、その押動部材を載置面へ向けて付勢することによって、給送手段による被記録材の給送動作が押動装置によって妨げられることがない状態を確保しつつ、給送経路の入口より給送方向の上流側で載置面へ向けて被記録材を押動することができる。
【００１０】
本発明の第３の態様は、前述した第２の態様に記載の自動給送装置において、前記押動部材は、被記録材と接する部分に回転自在に回転体が支持されている、ことを特徴とした自動給送装置である。  
このような特徴によれば、給送されるべき被記録材又は給送後の被記録材に押動部材が接したときに作用する搬送負荷（バックテンション）を低減させることができる。また、被記録材の押動部材が接する部分に傷等が付いてしまう虞を低減させることができる。
【００１１】
本発明の第４の態様は、前述した第１〜第３の態様のいずれかに記載の自動給送装置において、前記戻し手段は、前記分離装置より前記給送方向の下流側で給送されるべき被記録材に係合して当該給送されるべき被記録材を前記給送方向と逆方向へ搬送可能な逆送手段と、給送されるべき被記録材とともに前記給送経路に進入した他の被記録材に当該給送されるべき被記録材を付勢する従動回転体とを有している、ことを特徴とした自動給送装置である。
【００１２】
給送されるべき被記録材を他の被記録材に付勢することによって、その給送されるべき被記録材と他の被記録材との接触面に一定以上の摩擦力を作用させることができる。したがって、その状態では、給送されるべき被記録材を逆送手段で逆送することによって、その給送されるべき被記録材に接している他の被記録材に逆送方向の搬送力を間接的に作用させることができる。それによって、給送されるべき被記録材から分離された他の被記録材を逆送して載置面へ戻すことができる。
【００１３】
このような構成の戻し手段は、公知の戻しレバーによる戻し手段と比較して、機械的な騒音や被記録材の摺動音がほとんど生じない、自動給送装置の駆動力源の負荷を低減させることができる、給送すべき被記録材に傷等が生じる虞が少ない、といったメリットがある。また、当該戻し手段は、自動給送装置が搭載される電子機器の搬送装置を逆送手段として利用することが可能である。したがって、戻し手段の部品点数の削減及び占有スペースの縮小が可能になるので、本発明に係る自動給送装置のコストダウン及び小型化を実現できるというメリットもある。
【００１４】
本発明の第５の態様は、前述した第１〜第４の態様のいずれかに記載の自動給送装置において、前記押動装置は、待機時に、前記載置面に積重された被記録材を前記載置面に押圧する、ことを特徴とした自動給送装置である。  
このような特徴によれば、待機時に、載置面に積重された被記録材に反りや変形等が生ずる虞を低減させることができる。したがって、本発明の第５の態様に記載の自動給送装置によれば、この自動給送装置を搭載した電子機器において、被記録材の反りや変形等に起因した記録精度の低下や紙ジャム等が生ずる虞を低減させることができる。
【００１５】
本発明の第６の態様は、前述した第１〜第５の態様のいずれかに記載の自動給送装置と、前記自動給送装置により給送された被記録材に記録を実行する手段又は前記自動給送装置により給送された被記録材に記録されている情報を読み取る手段と、を備えた電子機器である。  
本発明の第６の態様に記載の電子機器によれば、自動給送装置により給送された被記録材に記録を実行する手段又は自動給送装置により給送された被記録材に記録されている情報を読み取る手段を備えた電子機器において、前述した第１〜第５の態様のいずれかに記載の発明による作用効果を得ることができる。
【発明を実施するための最良の形態】
【００１６】
以下、本発明の実施の形態を図面に基づいて説明する。
【００１７】
＜インクジェットプリンタの概略構成＞
まず、本発明に係る「電子機器」としてのインクジェットプリンタ５０の概略構成について、図１を参照しながら説明する。  
図１は、インクジェットプリンタ５０の概略構成を図示した要部側面図である。
【００１８】
インクジェットプリンタ５０は、「被記録材」としての記録紙Ｐをインクジェットプリンタ５０の内部へ給送するための自動給送装置７０を備えている。また、インクジェットプリンタ５０は、プラテン５３に支持されている記録紙Ｐを搬送方向Ｙへ搬送する手段として、搬送駆動ローラ５１及び搬送従動ローラ５２を備えている。さらに、インクジェットプリンタ５０は、プラテン５３に支持されている記録紙Ｐの記録面にインクを噴射して記録を実行する手段として記録ヘッド６２を備えている。さらに、インクジェットプリンタ５０は、記録実行後の記録紙Ｐを搬送方向Ｙへ搬送し排出する手段として、排出駆動ローラ５４及び排出従動ローラ５５を備えている。
【００１９】
自動給送装置７０は、ホッパ７１、エッジガイド７２、給送用ローラ７４及び給送経路７５を備えている。
【００２０】
記録紙Ｐが積重されて載置される「載置面」を構成するホッパ７１は、給送用ローラ７４へ向けて揺動可能に自動給送装置７０の基体に軸支されている。エッジガイド７２は、幅方向Ｘ（搬送方向Ｙと交差する方向）へ摺動可能にホッパ７１に支持されており、ホッパ７１に載置された記録紙Ｐのサイズに応じて幅方向Ｘにおける載置位置を規制する。給送用ローラ７４は、自動給送装置７０の基体に軸支された給送用ローラ軸７４１に一体に形成されており、図示していない給送用モータの回転駆動力で給送用ローラ軸７４１が回転することによって回転する。
【００２１】
ホッパ７１に載置された記録紙Ｐは、給送用ローラ７４へ向けてホッパ７１が揺動することによって、給送用ローラ７４の外周面に当接した状態となる。そして、記録紙Ｐは、給送用ローラ７４の回転によって、給送経路７５を通じて、搬送駆動ローラ５１と搬送従動ローラ５２とが当接する部分へ向けて給送される（給送手段）。
【００２２】
搬送駆動ローラ５１は、表面に高摩擦被膜が施されており、図示していない搬送用モータの回転駆動力が伝達されて回転する。搬送従動ローラ５２は、従動回転可能に軸支され、図示していないばね等の付勢手段によって、搬送駆動ローラ５１の外周面に当接した状態で付勢されている。自動給送装置７０により給送された記録紙Ｐは、搬送駆動ローラ５１と搬送従動ローラ５２とで挟持され、搬送駆動ローラ５１の駆動回転によりプラテン５３上を搬送方向Ｙへ搬送される。
【００２３】
記録ヘッド６２は、キャリッジ６１の底部に配設されている。記録ヘッド６２のヘッド面には、インクを噴射するための多数の噴射ノズル（図示せず）が配設されている。キャリッジ６１は、記録ヘッド６２のヘッド面とプラテン５３上の記録紙Ｐの記録面とが略平行となる状態を維持しつつ幅方向Ｘへ往復動可能に、キャリッジガイド軸５６に支持されている。キャリッジ６１は、図示していないキャリッジ駆動用モータの回転軸に配設された駆動プーリ（図示せず）と従動プーリ（図示せず）との間に掛架された無端ベルト（図示せず）が連結されており、キャリッジ駆動用モータの回転駆動力が無端ベルトを介して伝達されて幅方向Ｘへ往復動する。
【００２４】
プラテン５３は、記録紙Ｐの搬送方向Ｙに沿って形成された多数のプラテンリブを有している。プラテン５３上を搬送される記録紙Ｐは、このプラテンリブの頂面で裏面側から支持される。記録紙Ｐは、このプラテン５３に支持された領域において、記録ヘッド６２のヘッド面からのインク噴射により記録面にドットが形成されて記録が実行される。記録ヘッド６２のヘッド面と記録紙Ｐの記録面との間隔は、プラテンリブの頂面によって適正な間隔に規定される。
【００２５】
プラテン５３上を搬送される記録紙Ｐは、キャリッジ６１が幅方向Ｘへ往復動しながら記録ヘッド６２のヘッド面から記録紙Ｐの記録面にインクを噴射してドットを形成する動作と、搬送駆動ローラ５１の駆動回転により所定の搬送量で搬送方向Ｙへ搬送する動作とが交互に繰り返されることによって、記録面への記録が実行される。インク噴射後の記録紙Ｐは、排出駆動ローラ５４と排出従動ローラ５５とで挟持され、排出駆動ローラ５４の駆動回転により搬送方向Ｙへ搬送されて排出される。これらの一連の記録制御は、マイコン制御回路を有する制御装置（図示せず）により実行される。
【００２６】
＜本発明に係る自動給送装置７０の第１実施例＞
つづいて、本発明に係る自動給送装置７０の第１実施例について、図２〜図７を参照しながら説明する。
【００２７】
まず、第１実施例の自動給送装置７０の構成について、図２及び図３を参照しながら説明する。  
図２は、第１実施例の自動給送装置７０の要部斜視図であり、図３は、その要部側断面図である。
【００２８】
第１実施例の自動給送装置７０は、前記の構成要素（ホッパ７１、エッジガイド７２、給送用ローラ７４及び給送経路７５）の他に、抑えローラ７３、分離レバー７６、ばね掛止部７７、コイルばね７８及び押動装置２０を備えている。
【００２９】
「分離装置」としての分離レバー７６は、給送用ローラ７４の回転により給送されるべき記録紙Ｐとともに給送経路７５に進入した他の記録紙Ｐを給送されるべき記録紙Ｐから分離して係止するためのものである。分離レバー７６は、軸部７６１を揺動軸として揺動可能に自動給送装置７０の基体に支持されている。コイルばね７８は、自動給送装置７０の基体に固設されたばね掛止部７７と分離レバー７６の凸部７６３との間に掛着されている。分離レバー７６は、このコイルばね７８のばね力によって、給送用ローラ７４の外周面へ向けて付勢される。
【００３０】
分離レバー７６の分離斜面７６２は、給送経路７５の入口近傍に位置している。給送用ローラ７４の回転により給送されるべき記録紙Ｐとともに給送経路７５に進入した他の記録紙Ｐは、給送用ローラ７４の外周面と分離レバー７６の分離斜面７６２との間に挟持されたときに、分離斜面７６２で係止される。それによって、給送されるべき記録紙Ｐだけが給送経路７５を通じて給送されるので、記録紙Ｐの重送が防止される。
【００３１】
抑えローラ７３は、搬送駆動ローラ５１及び搬送従動ローラ５２とともに、分離レバー７６の分離斜面７６２に係止された記録紙Ｐをホッパ７１へ戻すための「戻し手段」を構成する。抑えローラ７３は給送経路７５に配設された「従動回転体」である。この抑えローラ７３は、給送されるべき記録紙Ｐとともに給送経路７５に進入して分離斜面７６２に係止された他の記録紙Ｐに、給送されるべき記録紙Ｐを付勢するためのローラである。また、搬送駆動ローラ５１及び搬送従動ローラ５２は、本来的にはインクジェットプリンタ５０の構成要素であって、記録実行中に記録紙Ｐを搬送方向Ｙへ搬送するために設けられているものであるが、記録紙Ｐの給送時には、給送されるべき記録紙Ｐを給送方向と逆方向へ搬送する「逆送手段」としても機能する。
【００３２】
このような構成の「戻し手段」は、抑えローラ７３によって、給送されるべき記録紙Ｐと分離斜面７６２に係止された他の記録紙Ｐとの接触面に一定以上の摩擦力が作用する。
そして、その状態から搬送駆動ローラ５１を逆回転させ、給送されるべき記録紙Ｐを逆送することによって、その給送されるべき記録紙Ｐに接している他の記録紙Ｐに逆送方向の搬送力を間接的に作用させることができる。それによって、給送されるべき記録紙Ｐから分離された他の記録紙Ｐを逆送してホッパ７１へ戻すことができる。
【００３３】
押動装置２０は、給送経路７５の入口より給送方向の上流側でホッパ７１へ向けて記録紙Ｐを押動するための装置である。押動装置２０は、図示の如くホッパ７１に対面する位置に設けられたインクジェットプリンタ５０の筐体フレーム１１に配設されている。押動装置２０は、本体２１の背面部分で筐体フレーム１１に取り付けられている。本体２１に一体的に設けられた支持部２２は、給送経路７５の入口より給送方向の上流側で押動部材２３を変位可能に支持する。
【００３４】
押動部材２３は、ホッパ７１へ向けて記録紙Ｐを押動するための部材である。「付勢部材」としてのコイルばね２５は、押動部材２３をホッパ７１へ向けて付勢する。押動部材２３は、記録紙Ｐと接する先端部分に、「回転体」としての従動ローラ２４が回転自在に軸支されている。この従動ローラ２４は、本発明に必須の構成要素ではないが、押動部材２３が記録紙Ｐと接したときに、記録紙Ｐに作用する搬送負荷（バックテンション）や記録紙Ｐに傷等が付いてしまう虞を低減させることができるという点で設ける方が好ましい。
【００３５】
このような構成の自動給送装置７０は、図示の如く、ホッパ７１の記録紙Ｐが載置される面が給送方向へ下り傾斜面となっている。そのため、ホッパ７１に載置された記録紙Ｐは、その給送方向の先端が当接面７０１に当接した状態で支持される。そして、給送用ローラ７４へ向けてホッパ７１を揺動させることによって、ホッパ７１に載置された記録紙Ｐは給送用ローラ７４の外周面に当接した状態となる。その状態から給送用ローラ７４を回転させることによって、給送用ローラ７４の外周面に接している最上位の記録紙Ｐは、給送経路７５を通じて、搬送駆動ローラ５１と搬送従動ローラ５２とが当接する部分へ向けて給送される。このとき押動装置２０は、上記構成であることによって、ホッパ７１の揺動変位及び給送用ローラ７４の回転による記録紙Ｐの給送動作を妨げることなく、給送経路７５の入口より給送方向の上流側でホッパ７１へ向けて記録紙Ｐを押動することができる。
【００３６】
つづいて、第１実施例の自動給送装置７０の動作について、図４〜図７を参照しながら説明する。  
図４〜図７は、第１実施例の自動給送装置７０の一部を拡大図示した側断面図である。
【００３７】
図４は、給送後の記録紙Ｐが搬送駆動ローラ５１の正回転により搬送方向Ｙへ搬送される状態を図示したものである。  
給送されるべき記録紙Ｐ１（以下、単に「記録紙Ｐ１」という。）は、給送用ローラ７４の回転により給送経路７５を通じて搬送駆動ローラ５１と搬送従動ローラ５２と当接部分に先端が到達し、搬送駆動ローラ５１と搬送従動ローラ５２とで挟持される。記録紙Ｐ１は、搬送駆動ローラ５１が正転方向へ回転することによって符号Ａで示した方向へ進行可能な状態となる。このとき、押動部材２３の先端部に軸支された従動ローラ２４は、コイルばね２５のばね力によって記録紙Ｐ１に当接し、符号Ａで示した方向への記録紙Ｐ１の進行に従動して回転する（符号Ｂ）。他方、記録紙Ｐ１に重なった状態で給送されようとした他の記録紙Ｐ２（以下、単に「記録紙Ｐ２」という。）は、分離レバー７６の分離斜面７６２によって、記録紙Ｐ１から分離されるとともに、その先端の一部が給送経路７５に進入した位置で係止された状態となる。
【００３８】
図５は、給送後の記録紙Ｐを搬送駆動ローラ５１の逆回転により逆送している状態を図示したものである。  
記録紙Ｐ１は、搬送駆動ローラ５１を逆回転させることによって、符号Ｃで示した方向へ逆送される。このとき、押動部材２３の先端部に軸支された従動ローラ２４は、その記録紙Ｐ１の逆送に従動して回転する（符号Ｅ）。また、記録紙Ｐ２は、一定以上の接触圧で記録紙Ｐ１が接している間、記録紙Ｐ１を介して逆送方向Ｃへの搬送力が間接的に作用してホッパ７１へ向けて逆送されることになる（符号Ｄ）。
【００３９】
ここで押動装置２０が設けられていないと仮定した場合、記録紙Ｐ２は、その先端が分離レバー７６の分離斜面７６２を抜ける直前まで逆送されたところで、抑えローラ７３による記録紙Ｐ１との接触圧が一定未満に低下して逆送方向Ｃへの搬送力がほとんど作用しなくなる。その結果、記録紙Ｐ１の逆送によってはそれ以上記録紙Ｐ２を逆送することができない状態となって、図示の如く分離レバー７６の分離斜面７６２の上端部に記録紙Ｐ２の先端が当接して引っ掛かった状態となり、記録紙Ｐ２をホッパ７１に戻し切れない状態となることがある。
【００４０】
図６及び図７は、押動装置２０により記録紙Ｐ２がホッパ７１へ押動される状態を図示したものである。  
記録紙Ｐ２の先端が分離レバー７６の分離斜面７６２を抜ける直前まで逆送されたところで、抑えローラ７３による記録紙Ｐ１と記録紙Ｐ２との接触圧が一定未満に低下すると、押動装置２０は、コイルばね２５（図３）のばね力で押動部材２３が符号Ｆで示した方向へ進出し、記録紙Ｐ１及び記録紙Ｐ２がホッパ７１へ向けて押動される（図６）。
【００４１】
それによって、記録紙Ｐ２は、コイルばね２５のばね力で弾き出されるようにホッパ７１へ確実に押し戻され（符号Ｇ）、ホッパ７１に載置された状態となる。すなわち、ホッパ７１へ戻り切る手前で分離レバー７６の分離斜面７６２の上端部に先端が引っ掛かった状態の記録紙Ｐ２は、押動装置２０によって、完全にホッパ７１へ戻し切ることができる。そして、その後に搬送駆動ローラ５１を再び正転方向へ回転させることによって、記録紙Ｐ１は再び符号Ａで示した方向へ進行し、従動ローラ２４は符号Ｂで示した回転方向へ従動回転することとなる（図７）。
【００４２】
以上説明したように、本発明に係る自動給送装置７０によれば、「戻し手段」による記録紙Ｐの戻し動作の確実性を向上させることができる。
【００４３】
＜本発明に係る自動給送装置７０の第２実施例＞
つづいて、本発明に係る自動給送装置７０の第２実施例について、図８〜図１２を参照しながら説明する。
【００４４】
図８は、第２実施例の自動給送装置７０の要部側断面図である。  
第２実施例の自動給送装置７０は、「戻し手段」及び「分離手段」が第１実施例と異なる。より具体的には、第２実施例の自動給送装置７０は、「戻し手段」として戻しレバー１２を備えているとともに、「分離手段」として分離パッド７９を備えている。尚、これ以外の構成については、第１実施例の自動給送装置７０と同様であるため、共通する部分の説明は省略する。
【００４５】
分離パッド７９は、給送経路７５に配設されており、所定の摩擦係数の分離面を有する部材である。給送用ローラ７４の外周面と分離パッド７９の分離面とで２枚以上の重なった状態の記録紙Ｐを挟持したときには、給送用ローラ７４の外周面と記録紙Ｐとの接触面に作用する摩擦力より小さく記録紙Ｐと記録紙Ｐとの接触面に作用する摩擦力より大きい摩擦力が、分離パッド７９の分離面と記録紙Ｐとの接触面に作用する。それによって、最上位にある記録紙Ｐは給送用ローラ７４の回転により給送され、他の記録紙Ｐは分離パッド７９の分離面に係止され、それによって記録紙Ｐの重送が防止される。
【００４６】
戻しレバー１２は、軸部１２１を揺動軸として、符号Ｈで示した揺動方向へ揺動可能に自動給送装置７０の基体に支持されている。戻しレバー１２は、給送経路７５の分離パッド７９が配設された部分近傍から進退するように、給送用ローラ７４の回転に連動して揺動する。
【００４７】
以下、第２実施例の自動給送装置７０の動作について、図９〜図１２を参照しながら説明する。図９〜図１２は、第２実施例の自動給送装置７０の一部を拡大図示した側断面図である。
【００４８】
図９は、給送後の記録紙Ｐが搬送駆動ローラ５１の正回転により搬送方向Ｙへ搬送される状態を図示したものである。  
給送されるべき記録紙Ｐ１は、搬送駆動ローラ５１が正転方向へ回転することによって符号Ａで示した方向へ進行可能な状態となる。このとき、押動部材２３の先端部に軸支された従動ローラ２４は、コイルばね２５のばね力によって記録紙Ｐ１に当接し、記録紙Ｐ１の符号Ａで示した方向への進行に従動して回転する（符号Ｂ）。他方、記録紙Ｐ１に重なった状態で給送されようとした他の記録紙Ｐ２は、分離パッド７９の分離面によって、記録紙Ｐ１から分離されるとともに、分離パッド７９の分離面に先端が係止された状態となる。
【００４９】
図１０及び図１１は、給送後の記録紙Ｐをホッパ７１へ向けて戻しレバー１２で押し戻している状態を図示したものである。  
戻しレバー１２は、搬送駆動ローラ５１と搬送従動ローラ５２とで記録紙Ｐ１が挟持された後に給送経路７５から進出する（符号Ｈ１）。記録紙Ｐ１は、搬送駆動ローラ５１の正回転により搬送され、符号Ａで示した方向へ給送経路７５を進行する。他方、分離パッド７９の分離面に先端が係止されていた記録紙Ｐ２は、戻しレバー１２が給送経路７５に進出しながらホッパ７１へ向けて変位することによって、その先端が戻しレバー１２に押動されながらホッパ７１へ押し戻される（符号Ｊ）。ここで押動装置２０が設けられていないと仮定した場合、記録紙Ｐ２は図示の如く、その先端が戻しレバー１２に当接し、その当接面に作用する摩擦力によって引っ掛かった状態となってホッパ７１に戻し切れない状態となることがある（図１１）。
【００５０】
図１２は、押動装置２０により記録紙Ｐ２がホッパ７１へ押動される状態を図示したものである。  
記録紙Ｐ１及び記録紙Ｐ２は、コイルばね２５（図３）のばね力で押動部材２３が符号Ｆで示した方向へ進出する力によって、ホッパ７１へ向けて押動される。このとき記録紙Ｐ１は、引き続き、搬送駆動ローラ５１の正回転により搬送され、符号Ａで示した方向へ給送経路７５を進行する。他方、先端が戻しレバー１２に当接して引っ掛かった状態になった記録紙Ｐ２は、コイルばね２５のばね力で押動部材２３が符号Ｆで示した方向へ進出する力によって、弾き出されるようにホッパ７１へ確実に押し戻され（符号Ｇ）、ホッパ７１に載置された状態となる。すなわち、押動装置２０によって、ホッパ７１へ戻り切る手前で先端が戻しレバー１２に引っ掛かった状態の記録紙Ｐ２を完全にホッパ７１へ戻し切ることができる。
【００５１】
＜本発明に係る自動給送装置７０の他の実施例＞
本発明に係る自動給送装置７０の他の実施例としては、上記の第１実施例又は第２実施例において、待機時に、ホッパ７１に積重された記録紙Ｐが押動装置２０の押動部材２３でホッパ７１に押圧されるようにしても良い。より具体的には、ホッパ７１に直接当接する位置まで変位可能に押動部材２３の変位幅やコイルばね２５のばね力等を設定すれば良い。それによって、ホッパ７１に積重された記録紙Ｐに反りや変形等が生ずる虞を低減させることができるので、インクジェットプリンタ５０において、記録紙Ｐの反りや変形等に起因した記録精度の低下や紙ジャム等が生ずる虞を低減させることができる。
【００５２】
また、本発明に係る自動給送装置の適用範囲は、特にインクジェットプリンタに限定されるものではなく、自動給送装置を搭載する「電子機器」の全てに適用することができるのは言うまでもない。例えば、レーザプリンタ、ドットインパクトプリンタ等、自動給送装置を備えた記録装置の全てにおいて、本発明の実施は可能であり、本発明による作用効果を得ることができる。さらに、自動給送装置により給送される記録紙に記録されている情報を読み取る手段を備えたスキャナ装置、コピー機、ファクシミリ等の電子機器においても、本発明の実施は可能であり、本発明による作用効果を得ることができる。
【００５３】
尚、本発明は、上記実施例に限定されることなく、特許請求の範囲に記載した発明の範囲内で種々の変形が可能であり、それらも本発明の範囲内に含まれるものであることは言うまでもない。
【図面の簡単な説明】
【００５４】
【図１】インクジェットプリンタの概略構成を図示した要部側面図。
【図２】第１実施例の自動給送装置の要部斜視図。
【図３】第１実施例の自動給送装置の要部側断面図。
【図４】第１実施例の自動給送装置の一部を拡大図示した側断面図。
【図５】第１実施例の自動給送装置の一部を拡大図示した側断面図。
【図６】第１実施例の自動給送装置の一部を拡大図示した側断面図。
【図７】第１実施例の自動給送装置の一部を拡大図示した側断面図。
【図８】第２実施例の自動給送装置の要部側断面図。
【図９】第２実施例の自動給送装置の一部を拡大図示した側断面図。
【図１０】第２実施例の自動給送装置の一部を拡大図示した側断面図。
【図１１】第２実施例の自動給送装置の一部を拡大図示した側断面図。
【図１２】第２実施例の自動給送装置の一部を拡大図示した側断面図。
【符号の説明】
【００５５】
２０  押動装置、２１  押動装置の本体、２２  押動部材の支持部、２３  押動部材、２４  従動ローラ、２５  コイルばね、５０  インクジェットプリンタ、５１  搬送駆動ローラ、５２  搬送従動ローラ、７０  自動給送装置、７１  ホッパ、７２  エッジガイド、７３  抑えローラ、７４  給送用ローラ、７５  給送経路、７６  分離レバー、７９  分離パッド、Ｐ  記録紙、Ｘ  幅方向、Ｙ  搬送方向
【図１】
2010023949.tif 000003
【図２】
2010023949.tif 000004
【図３】
2010023949.tif 000005
【図４】
2010023949.tif 000006
【図５】
2010023949.tif 000007
【図６】
2010023949.tif 000008
【図７】
2010023949.tif 000009
【図８】
2010023949.tif 000010
【図９】
2010023949.tif 000011
【図１０】
2010023949.tif 000012
【図１１】
2010023949.tif 000013
【図１２】
2010023949.tif 000014